(57)【要約】【課題】  プルリングの径が小さくても、抜栓の際に、指の背部を傷つけたり、痛めたりすることがないようにした抜栓式キャップを提供すること。【解決手段】  容器本体に装着されるキャップにおいて、キャップは、底壁を具え、底壁には、注出口を開口する薄肉の弱化部により除去部が設けられており、除去部の上面の所定の位置には、開口時に除去部を引上げる支柱と、支柱の上部に連設されたプルリングが設けられ、プルリングの上端部に、内面から外側に向かい反り返るように湾曲する湾曲面を具えたカール部が形成されていることを特徴とする。【選択図】  図１
2012153428.tif 000002
【特許請求の範囲】
【請求項１】
容器本体に装着されるキャップにおいて、
キャップは、底壁を具え、
底壁には、注出口を開口する薄肉の弱化部により除去部が設けられており、
除去部の上面の所定の位置には、開口時に除去部を引上げる支柱と、支柱の上部に連設されたプルリングが設けられ、
プルリングの上端部に、内面から外側に向かい反り返るように湾曲する湾曲面を具えたカール部が形成されていることを特徴とする抜栓式キャップ。
【請求項２】
プルリングの支柱側に、カール部が形成されていることを特徴とする請求項１記載の抜栓式キャップ。
【請求項３】
プルリングは、支柱の上部からＶ字状に外側に向かって湾曲して延びる連結部と、連結部の両端部から延び、円環状に形成される指掛け部とを具え、
連結部の上部にカール部が形成されていることを特徴とする請求項１または２記載の抜栓式キャップ。
【請求項４】
プルリングの径が、指の入る必要最低限の径であることを特徴とする請求項１〜３のいずれかに記載の抜栓式キャップ。
【発明の詳細な説明】
【技術分野】
【０００１】
本発明は、抜栓式キャップに関するものである。
【背景技術】
【０００２】
内容液を収納する容器の口筒部に装着するキャップにおいて、キャップの除去部に設けたプルリングを引き上げ、開口を開設するようにした抜栓式キャップは従来より知られている。
また、抜栓の際に指を掛け易くするために、キャップの除去部に立設したＶ字状に形成した支柱の各先端に、プルリングを形成した抜栓式キャップも従来より知られている（例えば、特許文献１参照）。
【先行技術文献】
【特許文献】
【０００３】
【特許文献１】特開２００１−３２２６６３号公報
【発明の概要】
【発明が解決しようとする課題】
【０００４】
しかしながら、従来のものや、特許文献１の従来の抜栓式キャップでは、容器自体の大きさが小さく、抜栓式キャップの大きさ自体も小さい場合、当然プルリングの径も、指の入る必要最低限の径のものであり、プルリングを引張る際に、指の背部が支柱側のプルリングの内面上端、または、Ｖ字状に形成した支柱の内面上端のエッジに当接して、指の背部を傷つけたり、痛めたりすることがあった。
【０００５】
また、特許文献１の従来の抜栓式キャップでは、抜栓の際に、プルリングの形状が複雑に変化するため、リングとして強度が弱いと、リングを引張るときにプルリングの一部が伸びたり、破断したりして抜栓できないという問題があった。
【０００６】
本発明は、上記の問題を解決することを課題とし、プルリングの径が小さくても、抜栓の際に、指の背部を傷つけたり、痛めたりすることがないようにした抜栓式キャップを提供することを目的とする。
【課題を解決するための手段】
【０００７】
本発明は、上記の課題を解決するため、抜栓式キャップとして、容器本体に装着されるキャップにおいて、キャップは、底壁を具え、底壁には、注出口を開口する薄肉の弱化部により除去部が設けられており、除去部の上面の所定の位置には、開口時に除去部を引上げる支柱と、支柱の上部に連設されたプルリングが設けられ、プルリングの上端部に、内面から外側に向かい反り返るように湾曲する湾曲面を具えたカール部が形成されていることを特徴とする構成を採用する。
【０００８】
プルリングの実施例として、プルリングの支柱側に、カール部が形成されていることを特徴とする構成、或いは、プルリングは、支柱の上部からＶ字状に外側に向かって湾曲して延びる連結部と、連結部の両端部から延び、円環状に形成される指掛け部とを具え、連結部の上部にカール部が形成されていることを特徴とする構成、或いは、プルリングの径が、指の入る必要最低限の径であることを特徴とする構成を採用する。
【発明の効果】
【０００９】
容器本体に装着されるキャップにおいて、プルリングの少なくとも支柱側の上端部に、内面から外側に向かい反り返るように湾曲する湾曲面を具えたカール部が形成されているので、プルリングを引張る際に、プルリングの径が小さいものでも、指の背部がカール部の湾曲面に当接し、指の背部を傷つけたり、痛めたりすることを防止することができるようになった。
【図面の簡単な説明】
【００１０】
【図１】本発明の抜栓式キャップの説明図で、（ａ）は断面側面図、（ｂ）は断面正面図である。
【図２】抜栓式キャップの底壁の説明図で、（ａ）は上面図、（ｂ）は斜視図である。
【図３】プルリングを引張った時の説明図である。
【図４】別実施例の抜栓式キャップの説明図で、（ａ）は断面側面図、（ｂ）は断面正面図である。
【発明を実施するための形態】
【００１１】
次に、本発明の抜栓式キャップについて、実施例をあげ、図面を参照して説明する。
図１において、Ａは、容器本体に嵌着されるとともに、上部に蓋体を装着して閉蓋されるキャップ本体である。
【００１２】
キャップ本体Ａは、図１、２に示すように、底壁１と、底壁１の周縁に立設される注出筒２とを具えている。
【００１３】
底壁１には、注出口を開口する薄肉の弱化部３により除去部４が設けられており、除去部４の上面の所定の位置には、開口時に除去部４を引上げる支柱５と、支柱５に連設され、円環状に形成されたプルリング６が設けられている。
【００１４】
プルリング６は、支柱５の上部からＶ字状に外側に向かって湾曲して延びる支柱５側の連結部７と、連結部７の両端部から延び、円環状に形成される指掛け部８とからなっている。
【００１５】
連結部７の上端部には、内面から外側に向かい反り返るように湾曲する湾曲面９ａを形成したカール部９が形成されている。
なお、カール部９は、金型内で成型するか、あるいは成型後に治具を直接押し付け、加熱変形させて形成することができる。
【００１６】
次に、本実施例の抜栓式キャップの作用効果について説明する。
本発明のキャップ本体Ａは、プルリング６内に指を入れ、指掛け部８に指を掛け、プルリング６を引張り、支柱５を介して除去部４を底壁１から抜栓し、注出口を開口する。
【００１７】
抜栓式キャップの大きさが小さい場合、プルリング６の径も、指の入る必要最低限の径のものであり、指掛け部８に指の腹部を掛け、プルリング６を引張る際に、指の背部が連結部７の内面上端に当接するが、本発明では、図３に示すように、連結部７の内面上端がカール部９の湾曲面９ａとなっているので、指の背部に優しく当接し、傷つけたり、痛めたりすることを防止することができる。
【００１８】
上記実施例では、カール部９をプルリング６の連結部７の上端部に形成したが、カール部９を、連結部７の両端部に連結する指掛け部８の支柱５側の一部まで含むように形したり、また、プルリング６全体の支柱５側半周に形成したり、さらに、プルリング６の全周に形成するようにしてもよく、指の背部に優しく当接し、傷つけたり、痛めたりすることを防止することができる。
【００１９】
次に、プルリングの形状を変えた別実施例について説明する。
上記実施例では、プルリング６を、支柱５の上部からＶ字状に外側に向かって湾曲して延びる連結部７と、連結部７の両端部から延び、円環状に形成される指掛け部８とからなるように形成したが、図４に示すように、単純な円環状としたのプルリング１０を支柱５の上部に連設し、プルリング１０の支柱５側の上端部に、内面から外側に向かい反り返るように湾曲する湾曲面１１ａを具えたカール部１１を形成しても、上記実施例と同様の効果が得られる。
また、カール部１１を形成する範囲は、上記実施例と同様にプルリング１０の支柱５側半周、または、全周の上端部に形成するようにしてもよい。
【００２０】
上記各実施例では、カール部の突出分だけ断面積を大きくすることができるので、カール部の部分のプルリングの上下の太さを小さくしても、プルリングが伸びたり、切れてしまうことを防ぐことができる。
また、プルリングの径が大きいものでも、カール部の突出分だけ断面積を大きくすることができるので、プルリングの上下の太さを小さくしても、プルリングが伸びたり、切れてしまうことを防ぐことができるので、プルリングの径は、上記各実施例のように、指の入る必要最低限の径のものに限定されない。
【００２１】
上記各実施例では、キャップ本体としたが、本発明は、抜栓式キャップの除去部を除去して開口するプルリングを設けた壁部に関しての発明であり、キャップ本体、および上蓋の他の構成はどのようなものでもよく、また、キャップ本体ではなく、キャップ内に装着される中栓の除去部を除去して開口する壁部の構成としてもよい。
つまり、除去部を除去して開口する壁部であれば、本発明のプルリングの構成を採用することができ、他の構成は、上記各実施例の構成に限定されない。
【産業上の利用可能性】
【００２２】
本発明は、小径のプルリングとして、少なくとも支柱側に内面から外側に向かい反り返るように湾曲する湾曲面を具えたカール部を形成し、プルリングを引張る際に、指の背部に優しく当接し、傷つけたり、痛めたりすることを防止することができるので、いろいろな抜栓式キャップのプルリングとして広く利用できるようになった。
【符号の説明】
【００２３】
Ａ          キャップ
１          底壁
２          注出筒
３          弱化部
４          除去部
５          支柱
６、１０    プルリング
７          連結部
８          指掛け部
９、１１    カール部
９ａ、１１ａ    湾曲面
【図１】
2012153428.tif 000003
【図２】
2012153428.tif 000004
【図３】
2012153428.tif 000005
【図４】
2012153428.tif 000006